(57)【要約】【課題】通信サービスの新規登録時に要する登録手続きを簡易に行える通信端末、管理サーバ、通信システム及び加入者登録方法を提供する。【解決手段】近距離通信確立部４０は、通信回線網Ｌ１に加入者登録されていない第２の通信端末６との間で近距離通信Ｌ２を確立するための通信確立処理を行い（ステップＳ１９）、端末識別子受信部４１は、近距離通信Ｌ２の確立後、第２の通信端末６の有する第２の端末識別子を第２の通信端末６から近距離通信Ｌ２を介して受信する（ステップＳ２５）。加入者登録要求送信部４２は、第１の端末識別子を含む通信回線網Ｌ１の加入者登録データＤ１を管理する管理サーバ２に第２の通信端末６の加入者登録を行うために、第１の端末識別子と端末識別子受信部４１により受信された第２の端末識別子とを含む加入者登録要求を、管理サーバ２に送信する（ステップＳ２６）。【選択図】図８
2009272956.tif 000002
【特許請求の範囲】
【請求項１】
所定の近距離通信を行うための近距離通信装置と第１の端末識別子を記憶する記憶装置とを備え、所定の通信回線網に加入者登録されている通信端末であって、
前記近距離通信装置を用いて、前記通信回線網に加入者登録されていない他の通信端末との間で前記近距離通信を確立するための通信確立処理を行う近距離通信確立手段と、
前記近距離通信の確立後、前記他の通信端末の有する第２の端末識別子を該他の通信端末から前記近距離通信を介して受信する端末識別子受信手段と、
前記通信回線網に加入者登録されている通信端末の端末識別子を含む該通信回線網の加入者登録データを管理する管理サーバに前記他の通信端末の加入者登録を行うために、前記第１の端末識別子と前記端末識別子受信手段により受信される前記第２の端末識別子とを含む加入者登録要求を、前記管理サーバに送信する加入者登録要求送信手段と
を備える通信端末。
【請求項２】
前記近距離通信確立手段は、
前記他の通信端末から前記近距離通信の確立要求を前記近距離通信装置を介して受けると、前記管理サーバに予め登録された第１のネットワーク暗証番号を該管理サーバから取得し、この取得した前記第１のネットワーク暗証番号をメモリに記憶する第１の暗証番号取得手段と、
前記他の通信端末の第２のネットワーク暗証番号を該他の通信端末から前記近距離通信装置を介して取得し、この取得した前記第２のネットワーク暗証番号を前記メモリに記憶する第２の暗証番号取得手段と
を有し、
前記第１の暗証番号取得手段により取得された前記第１のネットワーク暗証番号と、前記第２の暗証番号取得手段により取得された前記第２のネットワーク暗証番号とが一致する場合に、前記他の通信端末との間で前記近距離通信を確立する、ことを特徴とする請求項１に記載の通信端末。
【請求項３】
前記他の通信端末から前記近距離通信の解除要求を受けると、前記メモリに記憶された前記第１及び第２のネットワーク暗証番号を消去する暗証番号消去手段を更に備える、ことを特徴とする請求項２に記載の通信端末。
【請求項４】
所定の近距離通信を行うための近距離通信装置と端末識別子を記憶する記憶装置とを備えており、所定の通信回線網を介して通信可能な通信端末であって、
前記通信回線網に加入者登録される前に、前記近距離通信装置を用いて、前記通信回線網に加入者登録されている登録済み通信端末との間で前記近距離通信を確立するための通信確立処理を行う近距離通信確立手段と、
前記近距離通信の確立後、前記通信回線網に加入者登録されている通信端末の端末識別子を含む該通信回線網の加入者登録データを管理する管理サーバに該通信回線網への加入者登録を前記登録済み通信端末を介して行うために、前記端末識別子を前記登録済み通信端末に前記近距離通信を介して送信する端末識別子送信手段と
を備える通信端末。
【請求項５】
所定の通信回線網に加入者登録されている通信端末の端末識別子を含む該通信回線網の加入者登録データを管理する管理サーバであって、
前記通信回線網に加入者登録されている第１の通信端末の第１の端末識別子と、前記通信回線網に加入者登録されていない第２の通信端末の第２の端末識別子とを含む加入者登録要求を、前記第１の通信端末から受信する加入者登録要求受信手段と、
前記加入者登録要求受信手段により受信される前記加入者登録要求に含まれる前記第１の端末識別子が、前記加入者登録データに含まれているか否かを判定する判定手段と、
前記第１の端末識別子が前記加入者登録データに含まれていると前記判定手段により判定された場合に、前記第２の端末識別子を用いて前記第２の通信端末の加入者登録を行う加入者登録手段と
を備える管理サーバ。
【請求項６】
所定の通信回線網に加入者登録されている通信端末の端末識別子を含む該通信回線網の加入者登録データを管理する管理サーバと、所定の近距離通信が行え、前記通信回線網に加入者登録され、第１の端末識別子を有する第１の通信端末と、前記近距離通信が行え、第２の端末識別子を有する第２の通信端末とを備えた通信システムであって、
前記第１の通信端末は、
前記第２の通信端末が前記通信回線網に加入者登録されていない場合に、該第２の通信端末との間で前記近距離通信を確立するための通信確立処理を行う第１の近距離通信確立手段と、
前記近距離通信の確立後、前記第２の端末識別子を前記第２の通信端末から受信する端末識別子受信手段と、
前記管理サーバに前記第２の通信端末の加入者登録を行うために、前記第１の端末識別子と前記端末識別子受信手段により受信される前記第２の端末識別子とを含む加入者登録要求を、前記管理サーバに送信する加入者登録要求送信手段と
を有し、
前記第２の通信端末は、
前記通信回線網に加入者登録されていない場合に、前記第１の通信端末との間で前記近距離通信を確立するための通信確立処理を行う第２の近距離通信確立手段と、
前記近距離通信の確立後、前記第１の通信端末を介して前記管理サーバに前記通信回線網への加入者登録を行うために、前記第２の端末識別子を前記第１の通信端末に前記近距離通信を介して送信する端末識別子送信手段と
を有し、
前記管理サーバは、
前記加入者登録要求を前記第１の通信端末から受信する加入者登録要求受信手段と、
前記加入者登録要求受信手段により受信される前記加入者登録要求に含まれる前記第１の端末識別子が、前記加入者登録データに含まれているか否かを判定する判定手段と、
前記第１の端末識別子が前記加入者登録データに含まれていると前記判定手段により判定された場合に、前記第２の端末識別子を用いて前記第２の通信端末の加入者登録を行う加入者登録手段と
を有する通信システム。
【請求項７】
所定の通信回線網に加入者登録されている通信端末の端末識別子を含む該通信回線網の加入者登録データを管理する管理サーバと、所定の近距離通信が行え、前記通信回線網に加入者登録され、第１の端末識別子を有する第１の通信端末と、前記近距離通信が行え、第２の端末識別子を有する第２の通信端末とを用いて、該第２の通信端末を前記通信回線網に加入者登録するための加入者登録方法であって、
前記第２の通信端末が前記通信回線網に加入者登録されていない場合に、前記第１及び第２の通信端末の間で前記近距離通信を確立させる近距離通信確立ステップと、
前記近距離通信の確立後、前記第２の通信端末は、前記第２の端末識別子を前記第１の通信端末に前記近距離通信を介して送信する端末識別子送信ステップと、
前記第１の通信端末は、前記第２の端末識別子を前記第２の通信端末から受信すると、前記第１及び第２の端末識別子を含む加入者登録要求を、前記管理サーバに送信する加入者登録要求送信ステップと、
前記管理サーバは、前記加入者登録要求を前記第１の通信端末から受信すると、該加入者登録要求に含まれる前記第１の端末識別子が前記加入者登録データに含まれているか否かを判定する判定ステップと、
前記管理サーバは、前記第１の端末識別子が前記加入者登録データに含まれていると判定した場合、前記第２の端末識別子を用いて前記第２の通信端末の加入者登録を行う加入者登録ステップと
を備え、
前記近距離通信確立ステップは、
前記管理サーバから取得する前記第１の通信端末のネットワーク暗証番号と、前記第２の通信端末から受信する該第２の通信端末のネットワーク暗証番号とが一致する場合に前記近距離通信を確立する加入者登録方法。
【発明の詳細な説明】
【技術分野】
【０００１】
本発明は、通信端末と、管理サーバと、通信システムと、加入者登録方法とに関する。
【背景技術】
【０００２】
携帯電話や広帯域移動無線アクセスシステム（ＢＷＡ）等の通信サービスを利用するには、端末を購入するだけでなく、本人認証を含む通信サービスの利用登録手続きが必要となる。特許文献１には、携帯電話の購入手続きを補助するための商品販売用オンラインシステムが開示されている。特許文献１の商品販売用オンラインシステムは、商品選択データ（携帯電話の機種等）、加入者情報データ（氏名や住所等）及び本人性確認書類（運転免許証等）の画像データ等を取り込んで、店舗外に設置されたコンピュータシステムに送信する購入申込用端末装置を店舗内に備える。店舗外に設置されたコンピュータシステムを操作・閲覧する係員は、購入申込用端末装置から送信される加入者情報データや本人性確認書類の画像データ等から、利用主体者の照合や与信審査を行う。
【特許文献１】特開２００１−３５１０４６号公報
【発明の開示】
【発明が解決しようとする課題】
【０００３】
しかし、特許文献１の商品販売用オンラインシステム等のように、携帯電話等の通信サービスを新規登録する場合、店舗に出向いて本人認証を含む加入者登録手続きを行う必要があり、利用者は多大な負担を強いられることになる。そこで本発明は、通信サービスの新規登録時に要する登録手続きを簡易に行える通信端末、管理サーバ、通信システム及び加入者登録方法を提供することである。
【課題を解決するための手段】
【０００４】
本発明の通信端末は、所定の近距離通信を行うための近距離通信装置と第１の端末識別子を記憶する記憶装置とを備え、所定の通信回線網に加入者登録されている通信端末であって、上記近距離通信装置を用いて、上記通信回線網に加入者登録されていない他の通信端末との間で上記近距離通信を確立するための通信確立処理を行う近距離通信確立手段と、上記近距離通信の確立後、上記他の通信端末の有する第２の端末識別子を該他の通信端末から上記近距離通信を介して受信する端末識別子受信手段と、上記通信回線網に加入者登録されている通信端末の端末識別子を含む該通信回線網の加入者登録データを管理する管理サーバに上記他の通信端末の加入者登録を行うために、上記第１の端末識別子と上記端末識別子受信手段により受信される上記第２の端末識別子とを含む加入者登録要求を、上記管理サーバに送信する加入者登録要求送信手段とを備える。
【０００５】
このように、加入者登録されていない他の通信端末の加入者登録が行われる場合、本発明の通信端末は、近距離通信を介して他の通信端末から取得する他の通信端末の第２の端末識別子と、本発明の通信端末の第１の端末識別子とを含む加入者登録要求を、加入者登録済みの通信端末の端末識別子を含む加入者登録データを管理する管理サーバに送信することによって、他の通信端末の加入者登録を行う。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【０００６】
本発明の通信端末において、上記近距離通信確立手段は、上記他の通信端末から上記近距離通信の確立要求を上記近距離通信装置を介して受けると、上記管理サーバに予め登録された第１のネットワーク暗証番号を該管理サーバから取得し、この取得した上記第１のネットワーク暗証番号をメモリに記憶する第１の暗証番号取得手段と、上記他の通信端末の第２のネットワーク暗証番号を該他の通信端末から上記近距離通信装置を介して取得し、この取得した上記第２のネットワーク暗証番号を上記メモリに記憶する第２の暗証番号取得手段とを有し、上記第１の暗証番号取得手段により取得された上記第１のネットワーク暗証番号と、上記第２の暗証番号取得手段により取得された上記第２のネットワーク暗証番号とが一致する場合に、上記他の通信端末との間で上記近距離通信を確立するのが好ましい。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【０００７】
本発明の通信端末では、上記他の通信端末から上記近距離通信の解除要求を受けると、上記メモリに記憶された上記第１及び第２のネットワーク暗証番号を消去する暗証番号消去手段を更に備えるのが好ましい。このように、ネットワーク暗証番号を用いた近距離通信Ｌ２の接続が解除される場合にこのネットワーク暗証番号が通信端末から消去されるので、ネットワーク暗証番号のセキュリティが確保できる。
【０００８】
本発明の通信端末は、所定の近距離通信を行うための近距離通信装置と端末識別子を記憶する記憶装置とを備えており、所定の通信回線網を介して通信可能な通信端末であって、上記通信回線網に加入者登録される前に、上記近距離通信装置を用いて、上記通信回線網に加入者登録されている登録済み通信端末との間で上記近距離通信を確立するための通信確立処理を行う近距離通信確立手段と、上記近距離通信の確立後、上記通信回線網に加入者登録されている通信端末の端末識別子を含む該通信回線網の加入者登録データを管理する管理サーバに該通信回線網への加入者登録を上記登録済み通信端末を介して行うために、上記端末識別子を上記登録済み通信端末に上記近距離通信を介して送信する端末識別子送信手段とを備える。従って、通信端末の加入者登録を行う場合、加入者登録済みの通信端末を介して加入者登録が行われるので、店舗に出向いて本人認証を含む登録手続きを行わなくても通信端末の加入者登録が可能となり、よって、利用者の負担は軽減される。
【０００９】
本発明の管理サーバは、所定の通信回線網に加入者登録されている通信端末の端末識別子を含む該通信回線網の加入者登録データを管理する管理サーバであって、上記通信回線網に加入者登録されている第１の通信端末の第１の端末識別子と、上記通信回線網に加入者登録されていない第２の通信端末の第２の端末識別子とを含む加入者登録要求を、上記第１の通信端末から受信する加入者登録要求受信手段と、上記加入者登録要求受信手段により受信される上記加入者登録要求に含まれる上記第１の端末識別子が、上記加入者登録データに含まれているか否かを判定する判定手段と、上記第１の端末識別子が上記加入者登録データに含まれていると上記判定手段により判定された場合に、上記第２の端末識別子を用いて上記第２の通信端末の加入者登録を行う加入者登録手段とを備える。
【００１０】
このように、本発明の管理サーバは、加入者登録されている第１の通信端末の第１の端末識別子と、加入者登録されていない第２の通信端末の第２の端末識別子とを第１の通信端末から受信し、第１の端末識別子が加入者登録データに含まれている場合に、この第１の端末識別子と共に送信された第２の端末識別子を用いて、第２の通信端末の加入者登録を行う。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【００１１】
本発明の通信システムは、所定の通信回線網に加入者登録されている通信端末の端末識別子を含む該通信回線網の加入者登録データを管理する管理サーバと、所定の近距離通信が行え、上記通信回線網に加入者登録され、第１の端末識別子を有する第１の通信端末と、上記近距離通信が行え、第２の端末識別子を有する第２の通信端末とを備えた通信システムであって、上記第１の通信端末は、上記第２の通信端末が上記通信回線網に加入者登録されていない場合に、該第２の通信端末との間で上記近距離通信を確立するための通信確立処理を行う第１の近距離通信確立手段と、上記近距離通信の確立後、上記第２の端末識別子を上記第２の通信端末から受信する端末識別子受信手段と、上記管理サーバに上記第２の通信端末の加入者登録を行うために、上記第１の端末識別子と上記端末識別子受信手段により受信される上記第２の端末識別子とを含む加入者登録要求を、上記管理サーバに送信する加入者登録要求送信手段とを有し、上記第２の通信端末は、上記通信回線網に加入者登録されていない場合に、上記第１の通信端末との間で上記近距離通信を確立するための通信確立処理を行う第２の近距離通信確立手段と、上記近距離通信の確立後、上記第１の通信端末を介して上記管理サーバに上記通信回線網への加入者登録を行うために、上記第２の端末識別子を上記第１の通信端末に上記近距離通信を介して送信する端末識別子送信手段とを有し、上記管理サーバは、上記加入者登録要求を上記第１の通信端末から受信する加入者登録要求受信手段と、上記加入者登録要求受信手段により受信される上記加入者登録要求に含まれる上記第１の端末識別子が、上記加入者登録データに含まれているか否かを判定する判定手段と、上記第１の端末識別子が上記加入者登録データに含まれていると上記判定手段により判定された場合に、上記第２の端末識別子を用いて上記第２の通信端末の加入者登録を行う加入者登録手段とを有する。
【００１２】
このように、加入者登録されていない第２の通信端末の加入者登録が行われる場合、加入者登録されている第１の通信端末は、近距離通信を介して取得する第２の通信端末の第２の端末識別子と、第１の通信端末の第１の端末識別子とを、加入者登録済みの通信端末の端末識別子を含む加入者登録データを管理する管理サーバに送信し、管理サーバは、第１の端末識別子が加入者登録データに含まれている場合に、第２の端末識別子を用いて第２の通信端末の加入者登録を行う。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【００１３】
本発明の加入者登録方法は、所定の通信回線網に加入者登録されている通信端末の端末識別子を含む該通信回線網の加入者登録データを管理する管理サーバと、所定の近距離通信が行え、上記通信回線網に加入者登録され、第１の端末識別子を有する第１の通信端末と、上記近距離通信が行え、第２の端末識別子を有する第２の通信端末とを用いて、該第２の通信端末を上記通信回線網に加入者登録するための加入者登録方法であって、上記第２の通信端末が上記通信回線網に加入者登録されていない場合に、上記第１及び第２の通信端末の間で上記近距離通信を確立させる近距離通信確立ステップと、上記近距離通信の確立後、上記第２の通信端末は、上記第２の端末識別子を上記第１の通信端末に上記近距離通信を介して送信する端末識別子送信ステップと、上記第１の通信端末は、上記第２の端末識別子を上記第２の通信端末から受信すると、上記第１及び第２の端末識別子を含む加入者登録要求を、上記管理サーバに送信する加入者登録要求送信ステップと、上記管理サーバは、上記加入者登録要求を上記第１の通信端末から受信すると、該加入者登録要求に含まれる上記第１の端末識別子が上記加入者登録データに含まれているか否かを判定する判定ステップと、上記管理サーバは、上記第１の端末識別子が上記加入者登録データに含まれていると判定した場合、上記第２の端末識別子を用いて上記第２の通信端末の加入者登録を行う加入者登録ステップとを備え、上記近距離通信確立ステップは、上記管理サーバから取得する上記第１の通信端末のネットワーク暗証番号と、上記第２の通信端末から受信する該第２の通信端末のネットワーク暗証番号とが一致する場合に上記近距離通信を確立する。
【００１４】
このように、加入者登録されていない第２の通信端末の加入者登録が行われる場合、加入者登録されている第１の通信端末は、近距離通信を介して取得する第２の通信端末の第２の端末識別子と、第１の通信端末の第１の端末識別子とを、加入者登録済みの通信端末の端末識別子を含む加入者登録データを管理する管理サーバに送信し、管理サーバは、第１の端末識別子が加入者登録データに含まれている場合に、第２の端末識別子を用いて第２の通信端末の加入者登録を行う。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【発明の効果】
【００１５】
本発明によれば、通信サービスの新規登録時に要する登録手続きを簡易に行える通信端末、管理サーバ、通信システム及び加入者登録方法が提供できる。
【発明を実施するための最良の形態】
【００１６】
以下、図面を参照して、本発明に係る好適な実施形態について詳細に説明する。なお、図面の説明において、可能な場合には、同一要素には同一符号を付し、重複する説明を省略する。図１に、実施形態に係る通信システム１の構成を示す。通信システム１は、管理サーバ２、第１の通信端末４及び第２の通信端末６を備える。管理サーバ２は、通信回線網Ｌ１（移動体通信網や広帯域移動無線アクセスシステム（ＢＷＡ））に設けられており、通信回線網Ｌ１の加入者登録データ（図９に示す加入者登録データＤ１であり、第１の通信端末４の加入者データＲ１等を含む）を管理する。
【００１７】
第１の通信端末４は、管理サーバ２の管理する加入者登録データＤ１に既に登録済みであり、通信回線網Ｌ１を介して他の通信端末（携帯電話やパーソナルコンピュータ等）と通信可能な携帯電話等である。第１の通信端末４は、通信回線網Ｌ１やインターネット等を介して、管理サーバ２や他の通信端末に通信接続できる。図９に示す加入者登録データＤ１の加入者データＲ１は、第１の通信端末４の加入者データである。以下、加入者データＲ１等のような加入者データを加入者登録データＤ１に設けることを、加入者登録を行う、という。この加入者登録された第１の通信端末４等の通信端末は、通信回線網Ｌ１を直接利用できる。
【００１８】
加入者登録データＤ１は、端末識別子Ｄ１１、加入者情報Ｄ１２及びＮＷ暗証番号Ｄ１３（ＮＷ：ネットワーク）を含む。第１の通信端末４は、第１の通信端末４を識別するためのＳＩＭ等の第１の端末識別子（例えば、「Ｘｘｙｙｚｚ１」）を内蔵メモリ（後述のＲＯＭ４ｃや記録装置４ｇ）に格納する。この第１の端末識別子は、図９に示す端末識別子Ｄ１１（加入者データＲ１の端末識別子Ｄ１１）に登録されている。また、第１の通信端末４の加入者情報（第１の通信端末４の名義人の氏名や住所等）は、図９に示す加入者情報Ｄ１２（加入者データＲ１の加入者情報Ｄ１２）に登録されている。また、第１の通信端末４のＮＷ暗証番号（第１のＮＷ暗証番号）は、図９に示すＮＷ暗証番号Ｄ１３（加入者データＲ１のＮＷ暗証番号Ｄ１３）に登録されている。第１のＮＷ暗証番号は、図９に示すように、「０１２３」である。
【００１９】
第２の通信端末６は、第１の通信端末４と同様の構成を有すると共に、第１の通信端末４を介して通信回線網Ｌ１に加入者登録されることにより第１の通信端末４と同一名義人となる。図１は、第１の通信端末４が通信回線網Ｌ１に加入者登録されており（管理サーバ２と第１の通信端末４とを結ぶ実線を参照）、第２の通信端末６が通信回線網Ｌ１に加入者登録されていない状態（管理サーバ２と第２の通信端末６とを結ぶ破線を参照）を示している。第２の通信端末６は、通信回線網Ｌ１に加入者登録されると、第１の通信端末４を介さずに通信回線網Ｌ１の利用が可能となる。すなわち、第２の通信端末６は、第１の通信端末４を用いて通信回線網Ｌ１に加入者登録を行うが、この加入者登録の後において、第１の通信端末４を用いずに通信回線網Ｌ１に直接接続できるようになる。第２の通信端末６は、第２の通信端末６を識別するためのＳＩＭ等の第２の端末識別子（例えば、「Ｘｘｙｙｚｚ２」）を内蔵メモリ（後述のＲＯＭ６ｃや記録装置６ｇ）に格納する。第２の通信端末６が管理サーバ２に加入者登録される時、図９に示す端末識別子Ｄ１１に登録される第２の端末識別子は「Ｘｘｙｙｚｚ２」であり、加入者情報Ｄ１２に登録される第２の通信端末６の加入者情報は、第１の通信端末４の加入者情報と同一であり、第２の通信端末６のＮＷ暗証番号（第２のＮＷ暗証番号）は、第１の通信端末４の第１のＮＷ暗証番号（例えば、「０１２３」）と同一である。第２の通信端末６の加入者データＲ２を図９（Ｂ）に示す。
【００２０】
なお、第１の通信端末４及び第２の通信端末６は、Ｂｌｕｅｔｏｏｔｈ（登録商標）規格通信やＩｒＤＡ規格通信等の近距離通信Ｌ２を行うための近距離通信装置を有し、このような近距離通信Ｌ２を用いて互に通信可能である。
【００２１】
次に、図２を参照して、管理サーバ２の構成を説明する。管理サーバ２は、物理的には、ＣＰＵ２ａ、ＲＡＭ２ｂ、ＲＯＭ２ｃ、通信装置２ｄ及び記録装置２ｅを有しており、これらはバス２ｆに接続されている。ＣＰＵ２ａは、ＲＯＭ２ｃや記録装置２ｅ等の内蔵メモリに格納された所定のコンピュータソフトウェア（図８に示す管理サーバ２の行う処理を実行するためのコンピュータプログラム等を含む）をＲＡＭ２ｂにロードして実行することにより、管理サーバ２を統括的に制御する。通信装置２ｄは、通信回線網Ｌ１やインターネット等を介して第１の通信端末４や第２の通信端末６と通信を行うためのインターフェースを有する。記録装置２ｅは、書き込み／読み出し自在なメモリであり、図９に示す加入者登録データＤ１を格納する。
【００２２】
管理サーバ２は、機能的には、加入者登録要求受信部２０（加入者登録要求受信手段）、判定部２１（判定手段）及び加入者登録部２２（加入者登録手段）を有する。これらの加入者登録要求受信部２０〜加入者登録部２２は、ＣＰＵ２ａがＲＯＭ２ｃや記録装置２ｅ等に格納された上記コンピュータソフトウェアを実行し、図２に示す管理サーバ２の各構成部を動作させることにより実現される機能である。ＣＰＵ２ａは、上記コンピュータソフトウェアを実行することにより（特に、加入者登録要求受信部２０〜加入者登録部２２を用いて）、図８に示す管理サーバ２の行う処理を実行する。
【００２３】
加入者登録要求受信部２０は、第２の通信端末６の加入者登録が第１の通信端末４を介して行われる場合に、第１の通信端末４の第１の端末識別子と、第２の通信端末６の第２の端末識別子とを含む加入者登録要求を、第１の通信端末４から受信する。判定部２１は、この加入者登録要求受信部２０により受信された加入者登録要求に含まれる第１の端末識別子が、加入者登録データＤ１に含まれているか否かを判定する。そして、加入者登録部２２は、第１の端末識別子が加入者登録データＤ１に含まれていると判定部２１により判定された場合に、第２の端末識別子を用いて第２の通信端末６の加入者登録を行う。
【００２４】
次に、図４を参照して、第１の通信端末４の構成を説明する。第１の通信端末４は、物理的には、ＣＰＵ４ａ、ＲＡＭ４ｂ、ＲＯＭ４ｃ、入力装置４ｄ、出力装置４ｅ、通信装置４ｆ、記録装置４ｇ及び近距離通信装置４ｈを有しており、これらはバス４ｉに接続されている。ＣＰＵ４ａは、ＲＯＭ４ｃや記録装置４ｇ等の内蔵メモリに格納された所定のコンピュータソフトウェア（図８に示す第１の通信端末４の行う処理を実現するためのコンピュータプログラム等を含む）をＲＡＭ４ｂにロードして実行することにより、第１の通信端末４を統括的に制御する。入力装置４ｄは、キーボード等を有し、このキーボード等から各種データ入力が行われる。出力装置４ｅは、ＬＣＤ等のディスプレイや、スピーカ等を有する。通信装置４ｆは、通信回線網Ｌ１やインターネット等を介して管理サーバ２や、第２の通信端末６等の他の通信端末等と通信を行うためのインターフェースを有する。記録装置４ｇは、書き込み／読み出し自在なメモリであり、第１の通信端末４を識別する第１の端末識別子「Ｘｘｙｙｚｚ１」を格納する。近距離通信装置４ｈは、第２の通信端末６等の他の通信端末等と近距離通信Ｌ２を行うための通信装置である。
【００２５】
第１の通信端末４は、機能的には、近距離通信確立部４０（近距離通信確立手段）、端末識別子受信部４１（端末識別子受信手段）、加入者登録要求送信部４２（加入者登録要求送信手段）及び暗証番号消去部４５（暗証番号消去手段）を有し、近距離通信確立部４０は、第１の暗証番号取得部４３（第１の暗証番号取得手段）及び第２の暗証番号取得部４４（第２の暗証番号取得手段）を含む。これらの近距離通信確立部４０〜暗証番号消去部４５は、ＣＰＵ４ａがＲＯＭ４ｃや記録装置４ｇ等に格納された上記コンピュータソフトウェアを実行し、図４に示す第１の通信端末４の各構成部を動作させることにより実現される機能である。ＣＰＵ４ａは、上記コンピュータソフトウェアを実行することにより（特に、近距離通信確立部４０〜暗証番号消去部４５を用いて）、図８に示す第１の通信端末４の行う処理を実行する。
【００２６】
近距離通信確立部４０は、近距離通信装置４ｈを用いて、通信回線網Ｌ１に加入者登録されていない第２の通信端末６との間で近距離通信Ｌ２を確立するための通信確立処理を行う。端末識別子受信部４１は、近距離通信Ｌ２の確立後、第２の通信端末６の有する第２の端末識別子を第２の通信端末６から近距離通信Ｌ２を介して受信する。加入者登録要求送信部４２は、管理サーバ２に第２の通信端末６の加入者登録を行うために、第１の通信端末４の第１の端末識別子と端末識別子受信部４１により受信された第２の端末識別子とを含む加入者登録要求を、管理サーバ２に送信する。
【００２７】
上記した近距離通信確立部４０は、第１の暗証番号取得部４３及び第２の暗証番号取得部４４を含む。第１の暗証番号取得部４３は、通信回線網Ｌ１に加入者登録されていない第２の通信端末６（第２の通信端末６は、後に通信回線網Ｌ１に加入者登録される）から近距離通信Ｌ２の確立要求を近距離通信装置４ｈを介して受けると、管理サーバ２に予め登録された第１のＮＷ暗証番号を管理サーバ２から通信回線網Ｌ１を介して取得し、この取得した第１のＮＷ暗証番号をＲＡＭ４ｂ又は記録装置４ｇに記憶する。第２の暗証番号取得部４４は、第２のＮＷ暗証番号を第２の通信端末６から近距離通信装置４ｈを介して取得し（例えば、近距離通信Ｌ２の接続を確立するために行われる通信を用いて、第２のＮＷ暗証番号を第２の通信端末６から取得し）、この取得した第２のＮＷ暗証番号をＲＡＭ４ｂ又は記録装置４ｇに記憶する。そして、近距離通信確立部４０は、第１の暗証番号取得部４３により取得された第１のＮＷ暗証番号と、第２の暗証番号取得部４４により取得された第２のＮＷ暗証番号とが一致する場合に、第２の通信端末６との間で近距離通信Ｌ２を確立する。また、暗証番号消去部４５は、第２の通信端末６から近距離通信Ｌ２の解除要求を受けると、ＲＡＭ４ｂ又は記録装置４ｇに記憶された第１及び第２のＮＷ暗証番号を消去する。
【００２８】
次に、図６を参照して、第２の通信端末６の構成を説明する。第２の通信端末６は、物理的には、ＣＰＵ６ａ、ＲＡＭ６ｂ、ＲＯＭ６ｃ、入力装置６ｄ、出力装置６ｅ、通信装置６ｆ、記録装置６ｇ及び近距離通信装置６ｈを有しており、これらはバス６ｉに接続されている。ＣＰＵ６ａは、ＲＯＭ６ｃや記録装置６ｇ等の内蔵メモリに格納された所定のコンピュータソフトウェア（図８に示す第２の通信端末６の行う処理を実現するためのコンピュータプログラム等を含む）をＲＡＭ６ｂにロードして実行することにより、第２の通信端末６を統括的に制御する。入力装置６ｄは、キーボード等を有し、このキーボード等から各種データ入力が行われる。出力装置６ｅは、ＬＣＤ等のディスプレイや、スピーカ等を有する。通信装置６ｆは、通信回線網Ｌ１やインターネット等を介して管理サーバ２や、第１の通信端末４等の他の通信端末等と通信を行うためのインターフェースを有する。記録装置６ｇは、書き込み／読み出し自在なメモリであり、第２の通信端末６を識別する第２の端末識別子「Ｘｘｙｙｚｚ２」を格納する。近距離通信装置６ｈは、第１の通信端末４等の他の通信端末等と近距離通信Ｌ２を行うための通信装置である。
【００２９】
第２の通信端末６は、機能的には、近距離通信確立部６０（近距離通信確立手段）及び端末識別子送信部６１（端末識別子送信手段）を有する。これらの近距離通信確立部６０及び端末識別子送信部６１は、ＣＰＵ６ａがＲＯＭ６ｃや記録装置６ｇ等に格納された上記コンピュータソフトウェアを実行し、図６に示す第２の通信端末６の各構成部を動作させることにより実現される機能である。ＣＰＵ６ａは、上記コンピュータソフトウェアを実行することにより（特に、近距離通信確立部６０及び端末識別子送信部６１を用いて）、図８に示す第２の通信端末６の行う処理を実行する。
【００３０】
近距離通信確立部６０は、第２の通信端末６が通信回線網Ｌ１に加入者登録される前に、近距離通信装置６ｈを用いて、第１の通信端末４との間で近距離通信Ｌ２を確立するための通信確立処理を行う。端末識別子送信部６１は、近距離通信Ｌ２の確立後、第２の通信端末６の通信回線網Ｌ１への加入者登録を第１の通信端末４を介して管理サーバ２に行うために、第２の端末識別子を第１の通信端末４に近距離通信Ｌ２を介して送信する。
【００３１】
次に、図８を参照して、通信システム１の動作を説明する。図８に示すシーケンスは、第２の通信端末６が管理サーバ２に加入者登録を行う場合に通信システム１の行う処理を示す。まず、ステップＳ１において、第２の通信端末６は、通信回線網Ｌ１を利用するための加入者登録処理（第１の通信端末４を介さずに第２の通信端末６が通信回線網Ｌ１を利用するために行う加入者登録処理）を開始する（ステップＳ１）。第２の通信端末６は、加入者登録がされると、第１の通信端末４等の他の通信端末を介さずに通信回線網Ｌ１を直接利用できる。ステップＳ１の後、第２の通信端末６は、近距離通信Ｌ２の利用が可能な通信端末の機器情報（近距離通信用の機器情報）を要求する旨の要求信号（第２の通信端末６の近傍に近距離通信Ｌ２の利用が可能な第１の通信端末４があるか否かを確認するための信号）を、近距離通信装置６ｈを用いて行う（ステップＳ２）。
【００３２】
ステップＳ２の後、第１の通信端末４が、上記の要求信号を近距離通信装置４ｈを介して受信すると（ステップＳ３）、第１の通信端末４は、第１の通信端末４の機器情報（デバイス名及びアドレス等）を近距離通信装置４ｈを介して送信する（ステップＳ４）。ステップＳ４の後、第２の通信端末６は、第１の通信端末４の機器情報を近距離通信装置６ｈを介して受信すると（ステップＳ５）、近距離通信Ｌ２の接続が可能か否か（第２の通信端末６の実行可能な所定の通信プロトコルに従って近距離通信Ｌ２が行えるか否か）を、第１の通信端末４の機器情報（特に、デバイス名）に基づいて判定する（ステップＳ６）。
【００３３】
ステップＳ６において近距離通信Ｌ２の接続が可能と判定された場合、第２の通信端末６の近距離通信確立部６０は、近距離通信装置６ｈを用いて、第１の通信端末４との間で近距離通信Ｌ２を確立するための通信確立処理（ステップＳ７，Ｓ１０，Ｓ１６，Ｓ１７，Ｓ１９）を行い、第１の通信端末４の近距離通信確立部４０は、近距離通信装置４ｈを用いて、現時点において通信回線網Ｌ１に加入者登録されていない第２の通信端末６との間で近距離通信Ｌ２を確立するための通信確立処理（ステップＳ８，Ｓ９，Ｓ１１，Ｓ１４，Ｓ１５，Ｓ１８，Ｓ１９）を行う。
【００３４】
まず、近距離通信確立部６０は、第１の通信端末４に、近距離通信Ｌ２の確立要求を近距離通信装置６ｈを介して送信すると（ステップＳ７）、近距離通信確立部４０は、この近距離通信Ｌ２の確立要求を近距離通信装置４ｈを介して受信し（ステップＳ８）、第２の通信端末６と近距離通信Ｌ２の確立処理を行う旨の応答を第２の通信端末６に近距離通信装置４ｈを介して送信する（ステップＳ９）。近距離通信確立部６０は、この確立処理を行う旨の応答を第１の通信端末４から近距離通信装置６ｈを介して受信すると（ステップＳ１０）、第１の通信端末４との近距離通信Ｌ２の確立処理に用いる第２のＮＷ暗証番号の取得処理を行う（ステップＳ１６）。この場合、近距離通信確立部６０は、第２のＮＷ暗証番号の入力要求を入力装置６ｄ及び出力装置６ｅを用いて行う。
【００３５】
近距離通信確立部６０は、入力装置６ｄを介して第２のＮＷ暗証番号が入力されると、この入力された第２のＮＷ暗証番号を第１の通信端末４に近距離通信装置６ｈを介して送信し（ステップＳ１７）、近距離通信確立部４０の第２の暗証番号取得部４４は、この第２のＮＷ暗証番号を第２の通信端末６から近距離通信装置４ｈを介して取得し、この取得した第２のＮＷ暗証番号をＲＡＭ４ｂ又は記録装置４ｇに記憶する（ステップＳ１８）。
【００３６】
一方、近距離通信確立部４０の第１の暗証番号取得部４３は、近距離通信Ｌ２の確立要求をステップＳ８において第２の通信端末６から受信すると、管理サーバ２に予め登録された第１のＮＷ暗証番号の取得要求を管理サーバ２に通信回線網Ｌ１を介して送信し（ステップＳ１１）、管理サーバ２は、この第１のＮＷ暗証番号の取得要求を通信回線網Ｌ１を介して受信すると（ステップＳ１２）、加入者登録データＤ１の加入者データＲ１に含まれる第１のＮＷ暗証番号を第１の通信端末４に通信回線網Ｌ１を介して送信し（ステップＳ１３）、第１の通信端末４の第１の暗証番号取得部４３は、この第１のＮＷ暗証番号を管理サーバ２から通信回線網Ｌ１を介して受信する（ステップＳ１４）。なお、ステップＳ１３において用いられる加入者登録データＤ１は、図９（Ａ）に示すように、第１の通信端末４の加入者データＲ１を含んでいるが、第２の通信端末６の加入者データ（加入者データＲ２）を含んでいない。そして、第１の暗証番号取得部４３は、管理サーバ２から受信した第１のＮＷ暗証番号を、ＲＡＭ４ｂ又は記録装置４ｇに記憶する（ステップＳ１５）。
【００３７】
ステップＳ１５及びステップＳ１８の後、近距離通信確立部４０は、ステップＳ１８において第２の通信端末６から受信した第２のＮＷ暗証番号と、ステップＳ１５において、ＲＡＭ４ｂや記録装置４ｇに格納した第１のＮＷ暗証番号とが一致するか否かの認証処理を行い、この認証処理が完了すると（すなわち、第１及び第２のＮＷ暗証番号が一致した場合であり、第１の通信端末４と第２の通信端末６とが同一名義人の端末であることを意味する）、第２の通信端末６との間で近距離通信Ｌ２の接続を確立する（ステップＳ１９）。
【００３８】
ステップＳ１９の後、第２の通信端末６は、第１の通信端末４に対し、近距離通信Ｌ２を介して管理サーバ２への通信接続要求を行う（ステップＳ２０）。第１の通信端末４は、管理サーバ２への通信接続要求を第２の通信端末６から近距離通信Ｌ２を介して受信すると（ステップＳ２１）、通信回線網Ｌ１を介して管理サーバ２に第２の通信端末６との通信接続を行い、管理サーバ２に通信接続を行った旨の通知（接続通知）を第２の通信端末６に近距離通信Ｌ２を介して送信する（ステップＳ２２）。第２の通信端末６は、管理サーバ２に通信接続された旨を示す接続通知を第１の通信端末４から近距離通信Ｌ２を介して受信すると（ステップＳ２３）、端末識別子送信部６１は、第２の通信端末６の第２の端末識別子をＲＯＭ６ｃ又は記録装置６ｇから読み出し、この第２の端末識別子を、近距離通信Ｌ２、第１の通信端末４及び通信回線網Ｌ１を介して管理サーバ２宛に送信する（ステップＳ２４）。
【００３９】
ステップＳ２４の後、端末識別子受信部４１は、第２の通信端末６から管理サーバ２宛に送信された第２の端末識別子を第２の通信端末６から近距離通信Ｌ２を介して受信すると（ステップＳ２５）、加入者登録要求送信部４２は、第２の通信端末６を通信回線網Ｌ１に加入者登録することを要求するための加入者登録要求（第２の通信端末６が第１の通信端末４等の他の通信端末を用いずに通信回線網Ｌ１を直接利用できるようにするための加入者登録要求）を管理サーバ２に通信回線網Ｌ１を介して送信する（ステップＳ２６）。この場合、第１の通信端末４は、第１の通信端末４の第１の端末識別子をＲＯＭ４ｃ又は記録装置４ｇから読み出し、この読み出した第１の通信端末４の第１の端末識別子と、ステップＳ２５において第２の通信端末６から受信した第２の通信端末６の第２の端末識別子とを含む加入者登録要求を管理サーバ２に送信する。
【００４０】
ステップＳ２６の後、管理サーバ２の加入者登録要求受信部２０は、通信回線網Ｌ１を介して加入者登録要求を受信すると（ステップＳ２７）、判定部２１は、ステップＳ２７において受信された加入者登録要求に含まれている第１の端末識別子が加入者登録データＤ１に含まれているか否かを判定し（ステップＳ２８）、第１の端末識別子が加入者登録データＤ１に含まれていると判定した場合には、加入者登録部２２は、第２の通信端末６の加入者登録を行い（ステップＳ２９）、含まれていないと判定した場合にはその旨を示す通知を第１の通信端末４に送信する。
【００４１】
加入者登録部２２は、図９（Ｂ）に示すように、第２の通信端末６の加入者データＲ２の加入者情報Ｄ１２及びＮＷ暗証番号Ｄ１３の内容を、第１の通信端末４の加入者データＲ１の加入者情報Ｄ１２及びＮＷ暗証番号Ｄ１３の内容とし、加入者データＲ２の端末識別子Ｄ１１の内容を第２の端末識別子「Ｘｘｙｙｚｚ２」とする。第１の通信端末４と第２の通信端末６とは同一名義人（同一のユーザ）となっているので、第１の通信端末４の加入者データＲ１と、第２の通信端末６の加入者データＲ２とは、機器自体を識別するための端末識別子Ｄ１１の内容のみが異なっているだけであり、その他の内容は同じである。このように、第２の通信端末６の加入者データＲ２が加入者登録データＤ１に登録されたこと等により（更に、加入者登録に必要な他の処理が完了することによって）、第２の通信端末６の加入者登録が完了する。この加入者登録の完了により、第２の通信端末６は、第１の通信端末４等の他の通信端末を用いることなく、通信回線網Ｌ１を直接利用できる。
【００４２】
ステップＳ２９の後、管理サーバ２は、第２の通信端末６の加入者登録が完了すると、この旨を示す登録完了通知を、通信回線網Ｌ１、第１の通信端末４及び近距離通信Ｌ２を介して第２の通信端末６に通知する（ステップＳ３０）。第２の通信端末６は、ステップＳ３０において管理サーバ２から送信された登録完了通知を受信すると（ステップＳ３１）、第１の通信端末４に対し、ステップＳ１９において行われた近距離通信Ｌ２の接続を解除する旨の接続解除要求を、近距離通信Ｌ２を介して第１の通信端末４に送信すると共に（ステップＳ３２）、この近距離通信Ｌ２の接続を解除する。第１の通信端末４は、ステップＳ３２において第２の通信端末６から送信された近距離通信Ｌ２の接続解除要求を受信すると（ステップＳ３３）、近距離通信Ｌ２の接続を解除し、暗証番号消去部４５は、ＲＡＭ４ｂ又は記録装置４ｇに格納された第１及び第２のＮＷ暗証番号を消去する（ステップＳ３４）。第１及び第２のＮＷ暗証番号を用いた第２の通信端末６の加入者登録が完了し、第２の通信端末６との近距離通信Ｌ２が解除されたので、第１及び第２のＮＷ暗証番号のセキュリティ確保のため、ＲＡＭ４ｂ又は記録装置４ｇに記憶された第１及び第２のＮＷ暗証番号は消去される。
【００４３】
次に、本実施形態の第１の通信端末４の作用・効果を説明する。第１の通信端末４は、近距離通信Ｌ２を行うための近距離通信装置４ｈと第１の端末識別子を記憶するＲＯＭ４ｃ又は記録装置４ｇとを備え、通信装置４ｆが利用可能な通信回線網Ｌ１に加入者登録されている。第１の通信端末４は、近距離通信確立部４０、端末識別子受信部４１及び加入者登録要求送信部４２を備える。近距離通信確立部４０は、近距離通信装置４ｈを用いて、通信回線網Ｌ１に加入者登録されていない第２の通信端末６（第２の通信端末６は、第１の通信端末４等の他の通信端末を用いずに通信回線網Ｌ１を直接利用できるようにするために、後に通信回線網Ｌ１に加入者登録される）との間で近距離通信Ｌ２を確立するための通信確立処理を行う。端末識別子受信部４１は、近距離通信Ｌ２の確立後、第２の通信端末６の有する第２の端末識別子を第２の通信端末６から近距離通信Ｌ２を介して受信する。加入者登録要求送信部４２は、通信回線網Ｌ１に加入者登録されている通信端末の端末識別子を含む通信回線網Ｌ１の加入者登録データＤ１を管理する管理サーバ２に第２の通信端末６の加入者登録を行うために、第１の端末識別子と端末識別子受信部４１により受信された第２の端末識別子とを含む第２の通信端末６の加入者登録要求を、管理サーバ２に送信する。
【００４４】
このように、加入者登録されていない第２の通信端末６の加入者登録が行われる場合、第１の通信端末４は、近距離通信Ｌ２を介して第２の通信端末６から取得する第２の通信端末６の第２の端末識別子と、第１の通信端末４の第１の端末識別子とを含む加入者登録要求を、加入者登録済みの通信端末の端末識別子を含む加入者登録データＤ１を管理する管理サーバ２に送信することによって、第２の通信端末６の加入者登録を行う。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【００４５】
第１の通信端末４の近距離通信確立部４０は、第１の暗証番号取得部４３及び第２の暗証番号取得部４４を有する。第１の暗証番号取得部４３は、第２の通信端末６から近距離通信Ｌ２の確立要求を近距離通信装置４ｈを介して受けると、管理サーバ２に予め登録された第１のＮＷ暗証番号を管理サーバ２から通信回線網Ｌ１を介して取得し、この取得した第１のＮＷ暗証番号をＲＡＭ４ｂ又は記録装置４ｇに記憶する。第２の暗証番号取得部４４は、第２の通信端末６の第２のＮＷ暗証番号を第２の通信端末６から近距離通信装置４ｈを介して取得し、この取得した第２のＮＷ暗証番号を第１の通信端末４ｂ又は記録装置４ｇに記憶する。そして、近距離通信確立部４０は、第１の暗証番号取得部４３により取得された第１のＮＷ暗証番号と、第２の暗証番号取得部４４により取得された第２のＮＷ暗証番号とが一致する場合に、第２の通信端末６との間で近距離通信Ｌ２を確立する。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【００４６】
また、第１の通信端末４は、暗証番号消去部４５を備える。暗証番号消去部４５は、第２の通信端末６から近距離通信Ｌ２の接続解除要求を受けると、ＲＡＭ４ｂ又は記録装置４ｇに記憶された第１及び第２のＮＷ暗証番号を消去する。従って、ＮＷ暗証番号を用いた近距離通信Ｌ２の接続が解除される場合にこのＮＷ暗証番号が通信端末から消去されるので、ＮＷ暗証番号のセキュリティが確保できる。
【００４７】
次に、本実施形態に係る第２の通信端末６の作用・効果を説明する。第２の通信端末６は、近距離通信Ｌ２を行うための近距離通信装置６ｈと、第２の通信端末６の第２の端末識別子を記憶するＲＯＭ６ｃ又は記録装置６ｇとを備えており、通信装置６ｆが利用可能な通信回線網Ｌ１を介した通信が可能である（第２の通信端末６は、第１の通信端末４等の他の通信端末を用いずに通信回線網Ｌ１を直接利用できるようにするために、後に通信回線網Ｌ１に加入者登録される）。第２の通信端末６は、近距離通信確立部６０及び端末識別子送信部６１を備える。近距離通信確立部６０は、第２の通信端末６が通信回線網Ｌ１に加入者登録される前に、近距離通信装置６ｈを用いて、通信回線網Ｌ１に加入者登録されている第１の通信端末４との間で近距離通信Ｌ２を確立するための通信確立処理を行う。端末識別子送信部６１は、近距離通信Ｌ２の確立後、通信回線網Ｌ１に加入者登録されている通信端末の端末識別子を含む通信回線網Ｌ１の加入者登録データＤ１を管理する管理サーバ２に対し通信回線網Ｌ１への第２の通信端末６の加入者登録を第１の通信端末４を介して行うために、第２の端末識別子を第１の通信端末４に近距離通信Ｌ２を介して送信する。従って、通信端末の加入者登録を行う場合、加入者登録済みの通信端末を介して加入者登録が行われるので、店舗に出向いて本人認証を含む登録手続きを行わなくても通信端末の加入者登録が可能となり、よって、利用者の負担は軽減される。
【００４８】
次に、本実施形態に係る管理サーバ２の作用・効果を説明する。管理サーバ２は、通信回線網Ｌ１に加入者登録されている通信端末の端末識別子を含む通信回線網Ｌ１の加入者登録データＤ１を管理する。管理サーバ２は、加入者登録要求受信部２０、判定部２１及び加入者登録部２２を備える。加入者登録要求受信部２０は、通信回線網Ｌ１に加入者登録されている第１の通信端末４の第１の端末識別子と、通信回線網Ｌ１に加入者登録されていない第２の通信端末６の第２の端末識別子とを含む加入者登録要求を、第１の通信端末４から受信する（第２の通信端末６は、第１の通信端末４等の他の通信端末を用いずに通信回線網Ｌ１を直接利用できるようにするために、後に通信回線網Ｌ１に加入者登録される）。判定部２１は、加入者登録要求受信部２０により受信された加入者登録要求に含まれる第１の端末識別子が、加入者登録データＤ１に含まれているか否かを判定する。加入者登録部２２は、第１の端末識別子が加入者登録データＤ１に含まれていると判定部２１により判定された場合に、加入者登録要求受信部２０により受信された加入者登録要求に含まれる第２の端末識別子を用いて第２の通信端末６の加入者登録を行う。
【００４９】
よって、管理サーバ２は、加入者登録されている第１の通信端末４の第１の端末識別子と、加入者登録されていない第２の通信端末６の第２の端末識別子とを第１の通信端末４から受信し、第１の端末識別子が加入者登録データＤ１に含まれている場合に、この第１の端末識別子と共に送信された第２の端末識別子を用いて、第２の通信端末６の加入者登録を行う。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【００５０】
次に、本実施形態に係る通信システム１の作用・効果を説明する。通信システム１は、通信回線網Ｌ１に加入者登録されている通信端末の端末識別子を含む通信回線網Ｌ１の加入者登録データＤ１を管理する管理サーバ２と、近距離通信Ｌ２が行え、通信回線網Ｌ１に加入者登録され、第１の端末識別子を有する第１の通信端末４と、近距離通信Ｌ２が行え、第２の端末識別子を有する第２の通信端末６とを備える。第１の通信端末４は、近距離通信確立部４０、端末識別子受信部４１及び加入者登録要求送信部４２を有する。近距離通信確立部４０は、第２の通信端末６が通信回線網Ｌ１に加入者登録されていない場合に、第２の通信端末６との間で近距離通信Ｌ２を確立するための通信確立処理を行う。端末識別子受信部４１は、近距離通信Ｌ２の確立後、第２の端末識別子を第２の通信端末６から受信する。加入者登録要求送信部４２は、管理サーバ２に第２の通信端末６の加入者登録を行うために、第１の端末識別子と端末識別子受信部４１により受信された第２の端末識別子とを含む加入者登録要求を、管理サーバ２に送信する。第２の通信端末６は、近距離通信確立部６０及び端末識別子送信部６１を有する。近距離通信確立部６０は、第２の通信端末６が通信回線網Ｌ１に加入者登録されていない場合に、第１の通信端末４との間で近距離通信Ｌ２を確立するための通信確立処理を行う（第２の通信端末６は、第１の通信端末４等の他の通信端末を用いずに通信回線網Ｌ１を直接利用できるようにするために、後に通信回線網Ｌ１に加入者登録される）。端末識別子送信部６１は、近距離通信Ｌ２の確立後、第１の通信端末４を介して管理サーバ２に通信回線網Ｌ１への加入者登録を行うために、第２の端末識別子を第１の通信端末４に近距離通信Ｌ２を介して送信する。管理サーバ２は、加入者登録要求受信部２０、判定部２１及び加入者登録部２２を有する。加入者登録要求受信部２０は、加入者登録要求を第１の通信端末４から受信する。判定部２１は、加入者登録要求受信部２０により受信された加入者登録要求に含まれる第１の端末識別子が、加入者登録データＤ１に含まれているか否かを判定する。加入者登録部２２は、第１の端末識別子が加入者登録データＤ１に含まれていると判定部２１により判定された場合に、加入者登録要求受信部２０により受信された加入者登録要求に含まれる第２の端末識別子を用いて第２の通信端末６の加入者登録を行う。
【００５１】
このように、加入者登録されていない第２の通信端末６の加入者登録が行われる場合、加入者登録されている第１の通信端末４は、近距離通信Ｌ２を介して取得する第２の通信端末６の第２の端末識別子と、第１の通信端末４の第１の端末識別子とを、加入者登録済みの通信端末の端末識別子を含む加入者登録データＤ１を管理する管理サーバ２に送信し、管理サーバ２は、第１の端末識別子が加入者登録データＤ１に含まれている場合に、第２の端末識別子を用いて第２の通信端末６の加入者登録を行う。従って、通信端末の加入者登録を行う場合、加入者登録済みの通信端末を介して加入者登録要求がなされるので、店舗に出向いて本人認証を含む登録手続きを行わなくても通信端末の加入者登録が可能となり、よって、利用者の負担は軽減される。
【００５２】
なお、本発明は、上述の本実施形態に限られるものではない。例えば、本実施形態においては、ステップＳ２３の後、第１の通信端末４が第２の端末識別子を第２の通信端末６から近距離通信を介して取得し（ステップＳ２４，Ｓ２５）、この取得した第２の端末識別子と、第１の通信端末４の第１の端末識別子とを含む加入者登録要求を管理サーバ２に送信する（ステップＳ２６，Ｓ２７）としたが、これに限らず、ステップＳ２３の後、第２の通信端末６が第１の端末識別子を第１の通信端末４から近距離通信を介して取得し、この取得した第１の端末識別子と、第２の通信端末６の第２の端末識別子とを含む加入者登録要求を管理サーバ２に送信してもよい。この場合、第２の通信端末６は、通信装置６ｆを用いて管理サーバ２に対しインターネット接続が可能な構成（下記の登録要求送信部）が予め設けられている。そして、第１の通信端末４は、第１の端末識別子を第２の通信端末６に近距離通信Ｌ２を介して送信する端末識別子送信部を有し、第２の通信端末６は、第１の通信端末４から送信された第１の端末識別子を受信する端末識別子受信部と、第１及び第２の端末識別子を含む加入者登録要求を管理サーバ２に送信す加入者登録要求送信部とを有する。ステップＳ２７において、管理サーバ２の加入者登録要求受信部２０は、第２の通信端末６の加入者登録要求送信部から加入者登録要求を受信する。また、第１の通信端末４は、図７に示す第２の通信端末６の近距離通信確立部６０及び端末識別子送信部６１に対応する機能を更に有していてもよく、第２の通信端末６は、図５に示す第１の通信端末４の近距離通信確立部４０〜暗証番号消去部４５に対応する各機能を更に有していてもよい。
【図面の簡単な説明】
【００５３】
【図１】実施形態に係る通信システムの構成を示す図である。
【図２】実施形態に係る管理サーバの構成を示す図である。
【図３】実施形態に係る管理サーバの構成を示す図である。
【図４】実施形態に係る第１の通信端末の構成を示す図である。
【図５】実施形態に係る第１の通信端末の構成を示す図である。
【図６】実施形態に係る第２の通信端末の構成を示す図である。
【図７】実施形態に係る第２の通信端末の構成を示す図である。
【図８】実施形態に係る通信システムの動作を説明するためのシーケンスである。
【図９】実施形態に係る加入者登録データの一例を示す図である。
【符号の説明】
【００５４】
１…通信システム、２…管理サーバ、２０…加入者登録要求受信部、２１…判定部、２２…加入者登録部、２ａ，４ａ，６ａ…ＣＰＵ、２ｂ，４ｂ，６ｂ…ＲＡＭ、２ｃ，４ｃ，６ｃ…ＲＯＭ、２ｄ，４ｆ，６ｆ…通信装置、２ｅ，４ｇ，６ｇ…記録装置、２ｆ，６ｉ，４ｉ…バス、４…第１の通信端末、４０…近距離通信確立部、４ｈ，６ｈ…近距離通信装置、４１…端末識別子受信部、４２…加入者登録要求送信部、４３…第１の暗証番号取得部、４４…第２の暗証番号取得部、４５…暗証番号消去部、４ｄ，６ｄ…入力装置、４ｅ，６ｅ…出力装置、６…第２の通信端末、６０…近距離通信確立部、６１…端末識別子送信部、Ｄ１…加入者登録データ、Ｄ１１…端末識別子、Ｄ１２…加入者情報、Ｄ１３…ＮＷ暗証番号、Ｌ１…通信回線網、Ｌ２…近距離通信、Ｒ１，Ｒ２…加入者データ
【図１】
2009272956.tif 000003
【図２】
2009272956.tif 000004
【図３】
2009272956.tif 000005
【図４】
2009272956.tif 000006
【図５】
2009272956.tif 000007
【図６】
2009272956.tif 000008
【図７】
2009272956.tif 000009
【図８】
2009272956.tif 000010
【図９】
2009272956.tif 000011